(57)【要約】【課題】従来に比べて避難誘導の際に避難方向を認識しやすく、かつ、新たに設置する場合の費用が少ない避難誘導照明装置を提供すること。【解決手段】５個の発光ダイオード１とそれらの駆動回路９とからなる４個の発光ダイオードモジュール２ａ、２ｂ、２ｃ、２ｄを通路の側面の壁に、通路面からの高さが０．５〜１．０ｍ程度の位置で通路面とほぼ平行にほぼ直線状に設置して構成した誘導用発光部を有している。発光ダイオードモジュール２ａ、２ｂ、２ｃ、２ｄは避難誘導時に避難誘導方向を指示するための点滅発光を行い、その点滅発光は、避難誘導方向に向かって順次時間的に遅延して発光するように、すなわち、発光ダイオードモジュール２ａ、２ｂ、２ｃ、２ｄの順に遅延して発光するように設定されている。【選択図】  図１
0003181944.tif 000002
【実用新案登録請求の範囲】
【請求項１】
複数の発光ダイオードを備える発光ダイオードモジュールを、通路の側面の壁または通路の横に固定された物体に、通路面からの高さが１．８ｍ以下の位置で通路面とほぼ平行にほぼ直線状に複数個設置して構成した誘導用発光部を有し、前記発光ダイオードモジュールは避難誘導時に避難誘導方向を指示するための点滅発光を行い、該点滅発光は、前記複数の発光ダイオードモジュールが避難誘導方向に向かって順次時間的に遅延して発光するように設定されることを特徴とする避難誘導照明装置。
【請求項２】
前記誘導用発光部を構成する発光ダイオードとは異なる発光色を有する複数の発光ダイオードを備える発光ダイオードモジュールをほぼ直線状に複数個配置して構成した照明用発光部を有し、該照明用発光部は、前記誘導用発光部に近接して配置され、避難誘導時以外に発光を行うことを特徴とする請求項１に記載の避難誘導照明装置。
【請求項３】
煙感知器および電源電圧の検出手段および蓄電池を有し、前記煙感知器により所定の濃度の煙を感知したとき、または電源電圧が所定の値以下になったとき、前記蓄電池により前記誘導用発光部に電源を供給し、該誘導用発光部の点滅発光を行うことを特徴とする請求項１または請求項２に記載の避難誘導照明装置。
【請求項４】
前記照明用発光部の近傍に設置した照度センサーを有し、該照度センサーにより検出した照度が所定の値以下となったとき、前記照明用発光部の発光を行うことを特徴とする請求項２または請求項３に記載の避難誘導照明装置。
【請求項５】
前記照明用発光部の近傍に設置した赤外線センサーおよび照度センサーを有し、前記赤外線センサーにより人の存在を感知し、かつ前記照度センサーにより検出した照度が所定の値以下となったとき、前記照明用発光部の発光を行うことを特徴とする請求項２または請求項３に記載の避難誘導照明装置。
【請求項６】
前記誘導用発光部を構成する発光ダイオードモジュールと前記照明用発光部を構成する発光ダイオードモジュールとを１つの直線上に交互に配置し、前記誘導用発光部と前記照明用発光部は、壁に固定した通路面からの高さが１．０ｍ以下の手摺に一体として設置するか、または、通路面からの高さが１．０ｍ以下の壁面または壁面に固定された物体に設置することを特徴とする請求項２乃至請求項５のいずれか１項に記載の避難誘導照明装置。
【請求項７】
前記誘導用発光部および前記照明用発光部は、その内部への水の浸入を防ぐ防水構造を有することを特徴とする請求項２乃至請求項６のいずれか１項に記載の避難誘導照明装置。
【考案の詳細な説明】
【技術分野】
【０００１】
本考案は、火災などの災害時や停電時に家屋や施設などにいる人を安全に避難誘導するための照明を行う避難誘導照明装置に関する。
【背景技術】
【０００２】
従来、火災や停電などの非常時に家屋や施設などにいる人を安全に避難誘導するために、非常口などを示す表示や避難方向を誘導するための照明装置が備えられている。例えば、特許文献１の避難誘導灯装置では、避難方向を示す最適な表示体を選択し、それを点滅するランプで照明して誘導する装置が記載されている。また、特許文献２では発光ダイオードを用い、非常時にのみ誘導灯の表示の大きさを大きくしたり、誘導灯の輝度を高くする誘導灯装置が記載されている。また、特許文献３では２種類の光源を備え、火災や地震発生時にその点灯形態を変えて誘導する装置が記載されている。
【先行技術文献】
【特許文献】
【０００３】
【特許文献１】特開平１０−２４０１７３号公報
【特許文献２】特開２００８−２５７３２０号公報
【特許文献３】特開２０１２−１５５６１１号公報
【考案の概要】
【考案が解決しようとする課題】
【０００４】
上記の従来の避難誘導のための表示部や照明装置は、火災による発煙時や停電により照明が暗くなった状態では十分な視認性が得られない場合があり、すぐに避難方向を認識できない場合がある。さらに、一般的にこのような避難誘導灯は廊下の天井付近などの高い位置に設置されているため、火災時の発煙が天井に滞留した場合に視認性を低下させてしまうことや、避難する人の目線よりも上にある場合は迅速に認識しにくいという問題もある。
【０００５】
また、従来の避難誘導灯装置は建物全体の照明システムと一体となっている場合が多いので、既存の建物の避難誘導照明装置をより視認性の高い装置に改善する場合は改修工事が必要となり、多額の費用が発生してしまう。
【０００６】
そこで、本考案は、係る問題を解決するためになされたものであり、従来に比べて避難誘導の際に避難方向を認識しやすく、かつ、新たに設置する場合の費用が少ない避難誘導照明装置を提供することを目的とする。
【課題を解決するための手段】
【０００７】
第１の観点では、本考案の避難誘導照明装置は、複数の発光ダイオードを備える発光ダイオードモジュールを、通路の側面の壁または通路の横に固定された物体に、通路面からの高さが１．８ｍ以下の位置で通路面とほぼ平行にほぼ直線状に複数個設置して構成した誘導用発光部を有し、前記発光ダイオードモジュールは避難誘導時に避難誘導方向を指示するための点滅発光を行い、該点滅発光は、前記複数の発光ダイオードモジュールが避難誘導方向に向かって順次時間的に遅延して発光するように設定されることを特徴とする。
【０００８】
本考案では、建物の通路面である床の側面の壁などに床面と平行に直線状に複数の発光ダイオードモジュールを配置して点滅発光させ、しかもその高さが１．８ｍ以下と大人の目線程度かそれより低くすることにより避難する人に対する視認性を高めることができる。さらに、それらの複数の発光ダイオードモジュールを避難誘導方向に向かって順次時間的に遅延して発光するように設定することにより避難方向を認識しやすくなる。また、天井よりも低い位置に発光ダイオードモジュールを設置することにより、火災時の発煙が天井に滞留した場合にも視認性の低下を小さくすることができる。また、既存の壁などに発光ダイオードモジュールを取り付けることにより誘導用発光部を構成でき、その電源や駆動回路部なども既存の設備とは独立した形態で小型に構成して設置できるので、従来よりも低コストで実現可能である。
【０００９】
第２の観点では、本考案は、前記第１の避難誘導照明装置において、前記誘導用発光部を構成する発光ダイオードとは異なる発光色を有する複数の発光ダイオードを備える発光ダイオードモジュールをほぼ直線状に複数個配置して構成した照明用発光部を有し、該照明用発光部は、前記誘導用発光部に近接して配置され、避難誘導時以外に発光を行うことを特徴とする。このように誘導用発光部と同様な配置形態で発光色が異なる照明用発光部を誘導発光部に近接して配置しておくことにより、通常時に廊下などの補助照明として利用することができる。発光色の一例としては、誘導用発光部は青色、照明用発光部は白色などが可能である。
【００１０】
第３の観点では、本考案は前記第１または第２の観点の避難誘導照明装置において、煙感知器および電源電圧の検出手段および蓄電池を有し、前記煙感知器により所定の濃度の煙を感知したとき、または電源電圧が所定の値以下になったとき、前記蓄電池により前記誘導用発光部に電源を供給し、該誘導用発光部の点滅発光を行うことを特徴とする。本観点の考案では、煙感知器と停電を感知するための電源電圧の検出手段を設けることにより、避難誘導が必要な場合を感知して誘導用発光部を点滅発光させ、さらに蓄電池により誘導用発光部に電源を供給することにより停電や電源線の切断などの状況にも対応可能となる。
【００１１】
第４の観点では、本考案は前記第２または第３の観点の避難誘導照明装置において、前記照明用発光部の近傍に設置した照度センサーを有し、該照度センサーにより検出した照度が所定の値以下となったとき、前記照明用発光部の発光を行うことを特徴とする。これにより、照明用発光部を通常時の補助照明として利用する場合に、照度センサーにより常に周囲の明るさを検知し、その明るさが所定の値以下になったとき自動的に点灯させることができる。
【００１２】
第５の観点では、本考案は前記第２または第３の観点の避難誘導照明装置において、前記照明用発光部の近傍に設置した赤外線センサーおよび照度センサーを有し、前記赤外線センサーにより人の存在を感知し、かつ前記照度センサーにより検出した照度が所定の値以下となったとき、前記照明用発光部の発光を行うことを特徴とする。これにより、照明用発光部を通常時の補助照明として利用する場合に、照度センサーにより常に周囲の明るさを検知し、その明るさが所定の値以下になったとき、かつ、人がその通路を通過するときにのみ自動的に点灯させることができ、人がいないときの無駄な点灯を防いで消費電力を節減することができる。
【００１３】
第６の観点では、本考案は前記第２乃至第５のいずれかの観点の避難誘導照明装置において、前記誘導用発光部を構成する発光ダイオードモジュールと前記照明用発光部を構成する発光ダイオードモジュールとを１つの直線上に交互に配置し、前記誘導用発光部と前記照明用発光部は、壁に固定した通路面からの高さが１．０ｍ以下の手摺に一体として設置するか、または、通路面からの高さが１．０ｍ以下の壁面または壁面に固定された物体に設置することを特徴とする。このように、誘導用発光部用の発光ダイオードモジュールと照明用発光部用の発光ダイオードモジュールとを１つの直線上に交互に配置することで容易に誘導用発光部と照明用発光部を一体として構成できる。さらに、誘導発光部を避難誘導方向に向かって順次時間的に遅延して点滅発光させる場合に、それらの発光ダイオードモジュール間に間隔をあけた方が誘導方向が認識しやすくなるが、そこに避難時には発光しない照明用発光部の発光ダイオードモジュールを挿入することによって空間を有効利用でき、効率的に配置を行うことができる。
【００１４】
また、廊下の壁などに通路面に対して平行に固定されている手摺がある場合、またはそのような手摺を設置する場合、その手摺に１つの直線状に配置した誘導用発光部と照明用発光部を一体として固定することで壁に余分な構造物を取り付ける必要がなくなり、外観上もすっきりとする。この場合、例えば手摺に直線状の溝や窪みを設けてその中に設置する方法が考えられる。また、壁に直線状の溝や繰形などを設けてその中に設置した場合、外観上のデザイン効果が得られる。さらに発光ダイオードモジュールの通路面からの高さを１．０ｍ以下と低くすることで、避難時の視認性をさらに高め、発煙時の影響を小さくすることができる。
【００１５】
第７の観点では、本考案は前記第２乃至第６のいずれかの観点の避難誘導照明装置において、前記誘導用発光部および前記照明用発光部は、その内部への水の浸入を防ぐ防水構造を有することを特徴とする。このような防水構造とすることで、避難誘導照明装置を屋内のみでなく庭園や屋外施設などの足元灯にも適用することが可能となる。
【考案の効果】
【００１６】
以上のように、本考案によれば、従来に比べて避難誘導の際に避難方向を認識しやすく、かつ、新たに設置する場合の費用が少ない避難誘導照明装置が得られる。
【図面の簡単な説明】
【００１７】
【図１】実施例１に係る避難誘導照明装置の概略の構成を示すブロック構成図。
【図２】実施例１に係る避難誘導照明装置の設置形態の一例を示す模式的な斜視図。
【図３】実施例２に係る避難誘導照明装置の概略の構成を示すブロック構成図。
【図４】実施例２に係る避難誘導照明装置の設置形態の一例を示す模式的な斜視図。
【図５】実施例３の誘導用発光部および照明用発光部の概略を示す図。
【図６】実施例３の設置形態を示す模式的な斜視図。
【図７】実施例３の誘導用発光部および照明用発光部の拡大断面図。
【図８】実施例４の設置形態を示す模式的な断面図。
【図９】実施例５の設置形態を示す模式的な断面図。
【考案を実施するための形態】
【００１８】
以下、図面を参照して本考案の避難誘導照明装置を実施例により詳細に説明する。なお、図面の説明において同一の要素には同一符号を付し、その重複した説明を省略する。
【実施例１】
【００１９】
図１は、実施例１に係る避難誘導照明装置の概略の構成を示すブロック構成図であり、図２は実施例１に係る避難誘導照明装置の設置形態の一例を示す模式的な斜視図である。図１に示すように、本実施例の避難誘導照明装置１０は、５個の発光ダイオード１とそれらの駆動回路９とからなる４個の発光ダイオードモジュール２ａ、２ｂ、２ｃ、２ｄを、図２に示すように、通路である廊下３の側面の壁４に、廊下３からの高さＨが０．５〜１．０ｍ程度の位置で廊下３の床面とほぼ平行にほぼ直線状に設置して構成した誘導用発光部５を有している。発光ダイオードモジュール２ａ、２ｂ、２ｃ、２ｄは避難誘導時に避難誘導方向を指示するための点滅発光を行い、その点滅発光は、発光ダイオードモジュール２ａ、２ｂ、２ｃ、２ｄが避難誘導方向に向かって順次時間的に遅延して発光するように、すなわち、発光ダイオードモジュール２ａ、２ｂ、２ｃ、２ｄの順に遅延して発光するように設定されている。
【００２０】
本実施例の避難誘導照明装置においては、図１に示すように、煙感知器１１と電源電圧の検出手段として電源線に接続された停電検出器１２および出力電圧１２Ｖの蓄電池７を有している。煙感知器１１は建物内の必要と思われる各場所の天井付近に設置され、それらの煙感知器１１により所定の濃度の煙を感知したとき、または電源電圧が所定の値以下になり、停電検出器１２により停電が発生したと判断されたとき、蓄電池７により誘導用発光部５に電源を供給し、誘導用発光部５の点滅発光を行う。具体的には、本実施例の電源制御部６には上記の蓄電池７と停電検出器１２の他に点滅器８を備え、点滅器８において煙感知器１１と停電検出器１２からの信号を受信し、誘導用発光部５の点滅発光が必要な場合、それぞれの発光ダイオードモジュールの遅延時間に対応した点滅発光信号を生成し、それぞれの駆動回路９に電力とともに送信する。なお、図２に示すように、電源制御部６は壁や廊下などの端に設置することができる。
【００２１】
本実施例において、点滅発光の周期は０．２〜２秒程度、隣り合う発光ダイオードモジュール間の遅延時間は点滅周期の１／１０から１／２程度とすることができる。この点滅周期および遅延時間は、発光ダイオードモジュールの数や配置間隔などに応じて避難方向を認識しやすくなるような時間に設定される。また、発光ダイオードの発光色や１つの発光ダイオードモジュールを構成する発光ダイオードの数や輝度も視認性を考慮して決定することが望ましい。例えば、発光色としては青色を選択できる。
【００２２】
誘導用発光部５を構成する発光ダイオードモジュール２ａ、２ｂ、２ｃ、２ｄの形状は、設置場所に応じて設計することが望ましく、図２のように壁に固定する場合は壁から突出する高さが小さい方が望ましい。例えば、１つの発光ダイオードモジュールの形状は、幅数ｍｍ〜数ｃｍ、高さ数ｍｍ〜２ｃｍ程度、長さ数ｃｍ〜数十ｃｍ程度に、発光ダイオードモジュール間の間隔は数ｃｍ〜１ｍ程度として構成することができる。また、駆動回路９は発光ダイオードの裏面や側面に配置することができる。
【実施例２】
【００２３】
図３は、本発明の実施例２に係る避難誘導照明装置の概略の構成を示すブロック構成図であり、図４は実施例２に係る避難誘導照明装置の設置形態の一例を示す模式的な斜視図である。本実施例の避難誘導照明装置２０は、実施例１と同様に５個の発光ダイオード１とそれらの駆動回路９とからなる４個の発光ダイオードモジュール２ａ、２ｂ、２ｃ、２ｄを、図４に示すように、通路である廊下３の側面の壁４に、廊下３からの高さＨが０．５〜１．０ｍ程度の位置で廊下３の床面とほぼ平行にほぼ直線状に設置して構成した誘導用発光部５を有している。さらに、本実施例においては、発光ダイオード１とは異なる発光色を有する５個の発光ダイオード２１と駆動回路２９を備える発光ダイオードモジュール２２ａ、２２ｂ、２２ｃ、２２ｄをほぼ直線状に４個配置して構成した照明用発光部２５を有している。図４に示すように、照明用発光部２５は誘導用発光部５に近接して配置される。発光色は、例えば、誘導用発光部は青色、照明用発光部は白色とすることができる。
【００２４】
発光ダイオードモジュール２ａ、２ｂ、２ｃ、２ｄは実施例１と同様に、避難誘導時に避難誘導方向を指示するための点滅発光を行い、避難誘導方向に向かって順次時間的に遅延して発光するように設定され、一方、照明用発光部２５は、避難誘導時以外に連続的な発光を行う。本実施例においては、図３に示すように、照度センサー機能付きの赤外線センサー２４を備え、この赤外線センサー２４は照明用発光部２５の近傍に設置される。赤外線センサー２４により人の存在を感知し、かつ照度センサーにより検出した照度が所定の値以下となったとき、照明用発光部２５の発光を行う。本実施例の電源制御部２６には、電源線に接続されたＡＣ／ＤＣコンバータ２３を備え、照明用発光部２５の発光を行う場合にＤＣ１２Ｖを発光ダイオードモジュール２２ａ、２２ｂ、２２ｃ、２２ｄの駆動回路２９に供給する。
【００２５】
なお、実施例１と同様に、煙感知器１１、および電源制御部２６に、蓄電池７、点滅器８、停電検出器１２を備え、煙感知器１１により所定の濃度の煙を感知したとき、または停電検出器１２により停電を検出したとき、蓄電池７により誘導用発光部５に電源を供給し、誘導用発光部５の点滅発光を行う。
【００２６】
本実施例において、照明用発光部２５の発光ダイオードモジュールの配置は、図４のように誘導用発光部５の上側に配置するのではなく、誘導用発光部５の下側や、誘導用発光部５の発光ダイオードモジュールの間に交互に配置することもできる。また、発光ダイオードモジュールの駆動回路９と駆動回路２９を一体化して構成すること、発光ダイオードモジュール２ａと２２ａ、２ｂと２２ｂ、２ｃと２２ｃ、２ｄと２２ｄをそれぞれ一体化して構成することなども可能である。
【実施例３】
【００２７】
図５、図６、図７は、本発明の実施例３に係る避難誘導照明装置を説明するための図であり、図５は本実施例の誘導用発光部および照明用発光部の概略を示す図、図６は本実施例の設置形態を示す模式的な斜視図、図７は誘導用発光部および照明用発光部の拡大断面図である。本実施例の基本的な構成は図３に示した実施例２の構成と同じであり、誘導用発光部および照明用発光部の形状および設置形態のみ異なっている。
【００２８】
図５に示すように、本実施例においては、誘導用発光部３３を構成する４個の発光ダイオードモジュール３１ａ、３１ｂ、３１ｃ、３１ｄと照明用発光部３４を構成する４個の発光ダイオードモジュール３２ａ、３２ｂ、３２ｃ、３２ｄとを１つの直線上に交互に配置して合成発光ダイオードモジュール３０を構成している。それらの発光ダイオードモジュールの駆動回路は一体化し、駆動回路３９として発光ダイオードの裏面に配置されている。電源制御部３６の基本構成は図３の電源制御部２６と同じであるが、合成発光ダイオードモジュール３０の駆動に対応した構成となっている。
【００２９】
図６に示すように、合成発光ダイオードモジュール３０は、壁４に固定した廊下３の床面からの高さＨが１．０ｍ以下の手摺３５の中に一体として設置されている。具体的には、図７に示すように、壁４に取付具３８で固定された握り部３７にコ字状の溝４０を設け、その中に合成発光ダイオードモジュール３０を内蔵した箱型の筐体４１を固定している。筐体４１の合成発光ダイオードモジュール３０の前面、すなわち発光面側は透明な材料で窓を設けてもよく、または合成発光ダイオードモジュール３０が露出が可能な構造を備えていれば前面の窓はなくてもよい。
【００３０】
合成発光ダイオードモジュール３０の具体的な形状の一例としては、誘導用発光部３３を構成する４個の発光ダイオードモジュールおよび照明用発光部３４を構成する４個の発光ダイオードモジュールのそれぞれを、発光ダイオード２４個を２０ｍｍの間隔で配置して全長４８０ｍｍ、幅６ｍｍ、高さ３ｍｍで構成し、合成発光ダイオードモジュール３０を構成する合計８個の発光ダイオードモジュールを間隔４０ｍｍで配置してその全長を４１２０ｍｍとする構成が可能である。それを収納する筐体４１は、断面形状を幅１６ｍｍ奥行きを１３ｍｍとし、材質としてはアルミニウム板で構成することができる。
【実施例４】
【００３１】
図８は、本発明の実施例４に係る避難誘導照明装置を説明するための図であり、設置形態を示す模式的な断面図である。本実施例の基本的な構成は実施例３の構成と同じであり、合成発光ダイオードモジュール３０の設置形態のみ異なっている。本実施例においては、合成発光ダイオードモジュール３０を筐体４２に収納し、壁４の壁面に設けた廊下３の床面からの高さＨが１．０ｍ以下の溝４３の中に設置している。
【実施例５】
【００３２】
図９は、本発明の実施例５に係る避難誘導照明装置を説明するための図であり、設置形態を示す模式的な断面図である。本実施例の基本的な構成は実施例３の構成と同じであり、合成発光ダイオードモジュール３０の設置形態のみ異なっている。本実施例においては、合成発光ダイオードモジュール３０を壁４の廊下３の床面からの高さＨが１．０ｍ以下の壁面に設けた繰形４４の下側に設置している。
【００３３】
以上のように、本考案の避難誘導照明装置により、従来に比べて避難誘導の際に避難方向を認識しやすく、かつ、新たに設置する場合の費用が少ない避難誘導照明装置が得られる。
【００３４】
なお、本考案は上記の実施例に限定されるものではないことは言うまでもなく、目的や用途に応じて設計変更可能である。例えば、誘導用発光部や照明用発光部を構成する発光ダイオードモジュールの数、種類、形状や各発光ダイオードモジュールを構成する発光ダイオードの数、種類、形状、発光色なども目的に合わせて設定できる。また、各発光ダイオードモジュール配置形態も用途に応じて選択可能である。また、避難誘導や補助照明に必要とされる他のセンサーを備え、その出力に基づいて誘導用発光部や照明用発光部を駆動してもよい。
【符号の説明】
【００３５】
１、２１    発光ダイオード
２ａ、２ｂ、２ｃ、２ｄ、２２ａ、２２ｂ、２２ｃ、２２ｄ、３１ａ、３１ｂ、３１ｃ、３１ｄ、３２ａ、３２ｂ、３２ｃ、３２ｄ    発光ダイオードモジュール
３          廊下
４          壁
５、３３    誘導用発光部
６、２６、３６    電源制御部
７          蓄電池
８          点滅器
９、２９，３９    駆動回路
１０、２０  避難誘導照明装置
１１        煙感知器
１２        停電検出器
２３        ＡＣ／ＤＣコンバータ
２４        赤外線センサー
２５、３４  照明用発光部
３０        合成発光ダイオードモジュール
３５        手摺
３７        握り部
３８        取付具
４０、４３  溝
４１、４２  筐体
４４        繰形
【図１】
0003181944.tif 000003
【図２】
0003181944.tif 000004
【図３】
0003181944.tif 000005
【図４】
0003181944.tif 000006
【図５】
0003181944.tif 000007
【図６】
0003181944.tif 000008
【図７】
0003181944.tif 000009
【図８】
0003181944.tif 000010
【図９】
0003181944.tif 000011